(57)【要約】【課題】コンパクトに収納でき、衛生的で携帯しやすい収納スリッパを提供する。【解決手段】第１スリッパ１ａの外縁部６ａの一部に係合離脱可能な一対の留具７ａ、１７ａの一方の留具７ａを設け、第１スリッパとほぼ同型の第２スリッパ１１ａの外縁部１６ａの一部に留具７ａに対応する留具１７ａを設けてなり、二つ折りにした第１スリッパ１ａと、二つ折りにした第２スリッパ１１ａを重ね合わせた状態で留具７ａ、１７ａを係合することにより一組のスリッパがコンパクトに収納され、留具７ａ、１７ａを離脱することにより一組のスリッパが分離される。収納されたスリッパは、スリッパの表面もしくは裏面を外側にした状態を保持できるが、特に表面を外側にした状態で収納した場合、スリッパの裏面が他の携帯物を汚すことなく収納袋も必要ない。【選択図】図１
2007229402.tif 000002
【特許請求の範囲】
【請求項１】
第１スリッパ(1a)と、前記第１スリッパ(1a)と線対称型もしくはほぼ同型の第２スリッパ(11a)からなる一組の収納スリッパであって、
前記第１スリッパ(1a)は、前記第１スリッパ(1a)の外縁部(6a)の一部に、係合離脱可能な一対の留具(7a,17a)の一方の留具(7a)を備え、
前記第２スリッパ(11a)は、前記第２スリッパ(11a)の外縁部(16a)の一部に、前記留具(7a)に対応する留具(17a)を備え、
前記第１スリッパ(1a)のつま先部とかかと部が接するよう二つ折りにし、さらに前記第２スリッパ(11a)のつま先部とかかと部が接するよう二つ折りにし、
前記二つに折りたたまれた第１スリッパと前記二つに折りたたまれた第２スリッパとを重ねあわせた状態で、前記一対の留具(7a,17a)を係合離脱することにより、前記第１スリッパ(1a)と第２スリッパ(11a)が着脱することを特徴とする収納スリッパ。
【請求項２】
第１スリッパ(1e)と、前記第１スリッパ(1e)と線対称型もしくはほぼ同型の第２スリッパ(11e)からなる一組の収納スリッパであって、
前記スリッパのつま先部からかかと部までのほぼ真ん中を境とし、つま先部を含む側を上部(A)、かかと部を含む側を下部(B)とした際、
前記第１スリッパ(1e)の外縁部(6e)の前記下部(B)にオープンファスナーの務歯列(7e)を備え、
前記第２スリッパ(11e)の外縁部(16e)の前記下部(B)に、前記オープンファスナーの務歯列(7e)に対応するオープンファスナーの務歯列(17e)を備え、
前記第１スリッパ(1e)に装着されたオープンファスナーの務歯列(7e)と、前記第２スリッパ(11e)に装着されたオープンファスナーの務歯列(17e)は係合離脱可能であり、
前記第１スリッパのつま先部とかかと部が接するよう二つ折りにし、さらに前記第２スリッパのつま先部とかかと部が接するよう二つ折りにし、
前記二つに折りたたまれた第１スリッパと前記二つに折りたたまれた第２スリッパを重ねあわせた状態で、前記オープンファスナー(7e,17e)を係合離脱することにより、前記第１スリッパ(1e)と第２スリッパ(11e)が着脱することを特徴とする収納スリッパ。
【請求項３】
第１スリッパ(1f)と、前記第１スリッパ(1f)と線対称型もしくはほぼ同型の第２スリッパ(11f)からなる一組の収納スリッパであって、
前記スリッパのつま先部からかかと部までのほぼ真ん中を境とし、つま先部を含む側を上部(A)、かかと部を含む側を下部(B)とした際、
前記第１スリッパ(1f)の外縁部(6f)の前記上部(A)にオープンファスナーの務歯列(7f)を備え、
前記第２スリッパ(11f)の外縁部(16f)の前記上部(A)に、前記オープンファスナーの務歯列(7f)に対応するオープンファスナーの務歯列(17f)を備え、
前記第１スリッパ(1f)に装着されたオープンファスナーの務歯列(7f)と、前記第２スリッパ(11f)に装着されたオープンファスナーの務歯列(17f)は係合離脱可能であり、
前記第１スリッパ(1f)のつま先部とかかと部が接するよう二つ折りにし、さらに前記第２スリッパ(11f)のつま先部とかかと部が接するよう二つ折りにし、
前記二つに折りたたまれた第１スリッパと前記二つに折りたたまれた第２スリッパを重ねあわせた状態で、前記オープンファスナー(7f,17f)を係合離脱することにより、前記第１スリッパ(1f)と第２スリッパ(11f)が着脱することを特徴とする収納スリッパ。
【請求項４】
前記第１スリッパ(1e)と第２スリッパ(11e)のつま先部とかかと部が接するよう個々、二つ折りにする際、
甲側である表面(2e,12e)が個々内側に重ねあわせられることを特徴とする請求項１から請求項３のいずれか一に記載の収納スリッパ。
【請求項５】
前記第１スリッパ(1g)と第２スリッパ(11g)のつま先部とかかと部が接するよう個々、二つ折りにする際、
前記表面と反対面である裏面(5g,15g)が個々内側に重ねあわせられることを特徴とする請求項１から請求項３のいずれか一に記載の収納スリッパ。
【発明の詳細な説明】
【技術分野】
【０００１】
本発明は、携帯しやすい収納スリッパに関するものである。
【背景技術】
【０００２】
スリッパを携帯する際、従来は袋などの入れ物を別個に持参し、そこに一組のスリッパを収納していた。しかしながら、入れ物を持参するのを忘れると一組のスリッパは所持しづらく、またスリッパを鞄等の中にそのまま入れると一組のスリッパはまとまることなく個々に散乱することもある。
【０００３】
また一組のスリッパを収納する際、片方のスリッパのかかと部を、もう片方のスリッパの甲部を覆うカバー部と踏面との間の空間内に挿入していた。しかしながら、この収納方法だと片方のスリッパの裏面の汚れが、もう片方のスリッパの踏面に付着してしまう。
また、この収納方法だと、各々のスリッパが簡単に分離しやすく、そうなるとスリッパの組み合わせがわからなくなる混乱も来す。
【０００４】
ところで、上記の問題を解決するため一組のスリッパを重ね合わせた状態をファスナーで固定し収納する方法が開発されている（特許文献１参照）。図９はこのスリッパの実施形態を示すための説明図であって、１ｊ、１１ｊはスリッパ、６ｊ、１６ｊは外周縁部、７ｊ、１７ｊはファスナーである。このスリッパは、一対のファスナーの一方７ｊを外周縁部６ｊに携えた片方のスリッパ１ｊと、ファスナーと着脱可能なファスナーの一方１７ｊを備えた他方のスリッパ１１ｊからなる。使用時はファスナーを分離し、不使用時は各スリッパのファスナーを係合することで各スリッパを組み合わせることができる。
【０００５】
しかしながら、スリッパを収納するのに必要な容積は各々のスリッパを重ねあわせた容積とほぼ変わらず、携帯するのに必要なスペースが大きいという問題があった。
【特許文献１】実開平４−６６９０１号公報
【発明の開示】
【発明が解決しようとする課題】
【０００６】
本発明の第１の目的は、コンパクトに収納でき携帯しやすい収納スリッパを提供することにある。第２の目的は、衛生的に収納できるスリッパを提供することにある。
【課題を解決するための手段】
【０００７】
上記の目的を達成するために、本発明の第１の収納スリッパは、第１スリッパ１ａと、第１スリッパと線対称型もしくはほぼ同型の第２スリッパ１１ａからなる一組のスリッパから構成されている。第１スリッパ１ａは、係合離脱可能な一対の留具７ａ、１７ａの一方の留具７ａを備え、第２スリッパ１１ａは、留具７ａに対応する留具１７ａを備えている。さらに、第１スリッパ１ａのつま先部とかかと部が接するよう二つ折りにし、第２スリッパ１１ａのつま先部とかかと部が接するよう二つ折りにし、二つに折りたたまれた第１スリッパと二つに折りたたまれた第２スリッパとを重ねあわせた状態で、一対の留具７ａ、１７ａを係合離脱することにより、第１スリッパ１ａと第２スリッパ１１ａが着脱することを特徴とする。
【０００８】
また、本発明の第２の収納スリッパは、第１スリッパ１ｅと、第１スリッパと線対称型もしくはほぼ同型の第２スリッパ１１ｅからなる一組のスリッパであって、スリッパのつま先部からかかと部までのほぼ真ん中を境とし、つま先部を含む側を上部Ａ、かかと部を含む側を下部Ｂとした際、第１スリッパ１ｅの外縁部の下部Ｂにオープンファスナーの務歯列７ｅを備え、第２スリッパ１１ｅの外縁部の下部Ｂに、オープンファスナーの務歯列７ｅに対応するオープンファスナーの務歯列１７ｅを備えている。さらに、第１スリッパに装着されたオープンファスナーの務歯列７ｅと、第２スリッパに装着されたオープンファスナーの務歯列１７ｅは係合離脱可能である。さらにまた、第１スリッパのつま先部とかかと部が接するよう二つ折りにする。第２スリッパのつま先部とかかと部が接するよう二つ折りにする。二つに折りたたまれた第１スリッパと、二つに折りたたまれた第２スリッパを重ねあわせた状態で、オープンファスナー７ｅ、１７ｅを係合離脱することにより、第１スリッパと第２スリッパが着脱することを特徴とする。
【０００９】
さらにまた、本発明の第３の収納スリッパは、第２の収納スリッパのオープンファスナーの位置を、上部Ａに備えたことを特徴とする第１の収納スリッパである。
【００１０】
さらにまた、本発明の第４の収納スリッパは、第１スリッパと第２スリッパのつま先部とかかと部が接するよう各々二つ折りにする際、甲側である表面が個々内側に重ねあわせられることを特徴とする。
【００１１】
さらにまた、本発明の第５の収納スリッパは、第１スリッパと第２スリッパのつま先部とかかと部が接するよう各々二つ折りにする際、表面と反対面である裏面が個々内側に重ねあわせられることを特徴とする。
【発明の効果】
【００１２】
第１発明によれば、個々二つに折り合わせたスリッパ同士を、一対の留具を介して係合しているため、コンパクトに収納され携帯しやすい効果を奏する。
【００１３】
第２発明と第３発明によれば、一組のスリッパが略四つ折りにコンパクトに収納可能な状態に加え、オープンファスナーを介して一組のスリッパを係合しているため、着脱がスムーズで容易である。また、オープンファスナーを係合した際、第１スリッパと第２スリッパがほぼ隙間なく連結できる効果を奏する。とくにファスナーをスリッパの全周ではなく一部に設ける様式によって材料コストが下がり、また製造工程も簡易化されるので、つまりは製造コストが下がる。また、スリッパの軽量化を図れる上、スリッパを使用時、概してファスナーの務歯列が長いと隣接する生地を巻き込むことがあるが、その危険性が下がり、ファスナーの着脱も容易になる。また、ファスナーが邪魔になることも軽減される。
【００１４】
第４発明によれば、一組のスリッパがコンパクトに収納可能な状態に加え、スリッパの表面同士が内側に重ね合わせられるため、例えば、スリッパと同時に携帯するもの等によって、スリッパの表面が汚されない効果を奏する。また袋部が内側に収納されるためかさばらない。
【００１５】
第５発明によれば、一組のスリッパがコンパクトに収納可能な状態に加え、スリッパの裏面同士が内側に重ね合わせられるため、例えば、スリッパと同時に携帯する物等がスリッパの裏面により汚されない効果を奏する。
【発明を実施するための最良の形態】
【００１６】
（本体の構成）
図１（ａ）（ｂ）の両スリッパは、外縁部の下部Bに設けられた一対の留具を介して一部連結した状態である。図２は図１（ａ）の両スリッパの一対の留具を離脱し、一組のスリッパを分離させた状態である。図３（ａ）（ｂ）の両スリッパは、外縁部の上部Aに設けられた一対の留具を介して一部連結した状態である。図１及び図３の（ａ）（ｂ）の両スリッパの相違点は一対の留具の把持部の位置にある。（ａ）の一対の留具の把持部は踏面側の表側にあり、（ｂ）の一対の留具の把持部は裏面側にある。
【００１７】
以下、本発明の実施の形態を図面に基づいて説明する。ただし、以下に示す実施の形態は、本発明の技術思想を具体化するための収納スリッパを例示するものであって、本発明は収納スリッパを以下のものに特定しない。また、本明細書は特許請求の範囲に示される部材を、実施の形態の部材に特定するものでは決してない。特に実施の形態に記載されている構成部品の寸法、材質、形状、その相対的配置等は特に特定的な記載がない限りは、本発明の範囲をそれのみに限定する趣旨ではなく、単なる説明例にすぎない。なお、各図面が示す部材の大きさや位置関係等は、説明を明確にするため誇張していることがある。さらに以下の説明において、同一の名称、符号については同一もしくは同質の部材を示しており、詳細説明を適宜省略する。さらに、本発明を構成する各要素は、複数の要素を同一の部材で構成して一の部材で複数の要素を兼用する態様としてもよいし、逆に一の部材の機能を複数の部材で分担して実現することもできる。
【実施例１】
【００１８】
図４に、本発明の一実施例による収納スリッパを示す。本実施例の収納スリッパは、両足用として第１スリッパ１ｅと第２スリッパ１１ｅとの一組からなる。両スリッパの表面には、足を挿入する袋部と、足の裏面が接する踏面を備えており、表面の反対面には裏面が配置されている。
さらに収納スリッパは、スリッパ１ｅ、１１ｅのほぼ中心からかかと部にかけての下部側Bの外縁部に、一対からなる留具としてオープンファスナーの留具７ｅ、１７ｅを各々携えている。オープンファスナーは好適にはジッパーが利用できる。またジッパは金属製、プラスチック製等とする。
また、一対からなる留具として、オープンファスナーに代わり、あるいはこれに加えて、例えば、面ファスナーやホック、フック、ボタン、ひも、スナップ等を使用してもよい。さらに、リバーシブルなオープンファスナーを使用してもよい。ここで言うリバーシブルなオープンファスナーとは、オープンファスナーの表裏両面からオープンファスナーの一対の留具が脱着可能なオープンファスナーのことを言う。
【００１９】
（材質、デザイン）
収納スリッパを構成する部材は合成樹脂やゴムなど、ある程度形状復帰性を有する素材等を用いることができる。また、抗菌、防水、防臭、防かび等の用途を付加した素材や、デザイン性を考慮した皮、合皮等の素材、汗などを吸収し洗濯可能な布、パイル生地等の素材、使い捨てでき使用に耐えうる厚手の紙等の素材、足下の保温性を目的にした毛糸、ボア、フリース等の素材を使用してもよい。また、履き心地をや耐性をを増すよう多層構造の素材を用いたり、踏面と裏面の間に中敷きを設けることもできる。さらに、収納スリッパの表面部には布地を、裏面部には合皮素材を用いるなど、構成部分に応じて材質を変えることもできる。さらにまた、突起物や、い草、麻、竹等の自然素材等、別の部材を踏面の表面に装着してもよい。また健康増進、医療など目的に応じて踏面の形状を変化させたり、ダイエット効果を期待して、踵のない短いスリッパ等スリッパの踏面の長さを変化させてもよい。さらにまた、足の甲部を覆う袋部に関して、足のつま先部分が見えるよう前あきタイプや、足の指を形どったようにデザインを変化させたり、袋部の表面にロゴマークやマスコット等の印刷加工処理を施すこともできる。また素材によっては足首を覆うブーツ形状も可能である。
【００２０】
（着脱方法）
一組からなる収納スリッパの各々のスリッパにおいて、図４（ａ）の収納スリッパは、図１（ｂ）の一対の留具としてオープンファスナー７ｅ、１７ｅを使用したもである。このオープンファスナーを介して、両スリッパは一部連結されている。オープンファスナーは、外縁部の下部Bに設けられ、つま先部を含む上部Aには設けられていない。また、オープンファスナーの留具の把持部が裏面側にある。図４（ａ）の状態から、図４（ｂ）に示すよう甲側である表面を内側にし、個々矢印に示すよう二つに折曲げる。つま先部とかかと部が接することになる。さらに、二つ折りにされた各々のスリッパ１ｅ、１１ｅを、図４ｃに示すようにスリッパの裏面５ｅ、１５ｅの上部A同士が互いに接するよう重ね合わせる。この状態でオープンファスナーを係合すると、図４ｄに示すようになる。スリッパが裏面５ｅ、１５ｅの下部Bを外側にして収納された状態を保持できる。結果的に通常の使用状態からみると面積比がほぼ四分の一になる。
スリッパ使用時には、収納された状態からオープンファスナーを離脱すると図２に示すように第１スリッパと第２スリッパに分離される。
【実施例２】
【００２１】
また別の収納スリッパを図５に示す。図５（ａ）の収納スリッパは、図３（ｂ）の一対の留具としてオープンファスナー７ｆ、１７ｆを使用したもである。このオープンファスナーを介して、両スリッパは一部連結されている。オープンファスナーは、実施例１の位置とは逆に、外縁部のつま先部を含む上部Aに設けられ、かかと部を含む下部Bには設けられていない。また、オープンファスナーの留具の把持部は実施例１と同様、裏面側にある。
図５ｂは実施例１と同様に、甲側である表面を内側にし、個々矢印に示すよう二つに折曲げられた状態である。つま先部とかかと部が接することになる。
図５ｂの状態から、実施例１とは逆側に両スリッパを重ねる。つまり、二つ折りにされた各々のスリッパ１ｆ、１１ｆは、図５ｃに示すようにスリッパの裏面５ｆ、１５ｆの下部B同士が互いに接するよう重ね合わせられる。この状態でオープンファスナーを係合すると、図５ｄに示す状態になる。スリッパが裏面５ｆ、１５ｆの上部Aを外側にして収納される。実施例１と同様、結果的に通常の使用状態からみると面積比がほぼ四分の一になる。
実施例１および実施例２のスリッパの収納状態は、開いてかさばりやすい袋部が内側に収納されるので携帯に便利である。反面、裏面がむきだしになっているため、裏面の汚れが、一緒に携帯する他の物に付着することがあり、このためケースや収納袋を別個用意して、これにスリッパを収納することが好ましい。
【実施例３】
【００２２】
さらにまた別の収納スリッパを図６に示す。図６（ａ）の収納スリッパは、図１（ａ）の一対の留具としてオープンファスナー７ｇ、１７ｇを使用したもである。このオープンファスナーを介して、両スリッパは一部連結されている。オープンファスナー７ｇ、１７ｇは、外縁部の下部Bに設けられ、つま先部を含む上部Aには設けられていない。つまり、実施例１とオープンファスナーの装着位置が同じである。実施例１との相違点は、オープンファスナーの留具の把持部が踏面側の表側にある点である。
図６（ａ）の状態から、スリッパを矢印の方向に個々二つ折りにする際、実施例１とは逆の向きに折り曲げる。つまり、図６（ｂ）に示すよう裏面５ｇ、１５ｇを内側にし、個々矢印に示すよう二つに折曲げる。つま先部とかかと部が接することになる。さらに、二つ折りにされた各々のスリッパ１ｇ、１１ｇを、図６（ｃ）に示すように、スリッパの袋部同士３ｇ、１３ｇが互いに接するよう重ね合わせる。この状態でオープンファスナーを係合すると、図６ｄに示すようになる。スリッパが踏面４ｇ、１４ｇを外側にして収納された状態を保持できる。結果的に通常の使用状態からみると面積比がほぼ四分の一になる。
この実施例３の収納状態は、裏面がむきだしになっていないため、一緒に携帯する他の物を汚すことがなくケースや袋を必要としない。また袋部３ｇ、１３ｇも内側に折り込まれるため、収納状態においてもかさばることがない。
【実施例４】
【００２３】
さらにまた別の収納スリッパを図７に示す。図７（ａ）の収納スリッパは、図３（ａ）の一対の留具としてオープンファスナー７ｈ、１７ｈを使用したもである。このオープンファスナーを介して、両スリッパは一部連結されている。オープンファスナー７ｈ、１７ｈは、外縁部のつま先部を含む上部Aに設けられ、かかと部を含む下部Bには設けられていない。つまり、実施例２とオープンファスナーの装着位置が同じである。実施例２との相違点は、オープンファスナーの留具の把持部が踏面側の表側にある点である。また、図７（ａ）の状態から、スリッパを矢印の方向に個々二つ折りにする際、実施例２とは逆の向きに折り曲げる。つまり、図７（ｂ）に示すよう裏面５ｈ、１５ｈを内側にし、個々矢印に示すよう二つに折曲げる。つま先部とかかと部が接することになる。さらに、二つ折りにされた各々のスリッパ１ｈ、１１ｈを、図６（ｃ）に示すように、踏面同士４ｈ、１４ｈが互いに接するよう重ね合わせる。この状態でオープンファスナーを係合すると、図７ｄに示すようになる。スリッパが袋部３ｈ、１３ｈを外側にして略四つ折りに収納された状態を保持できる。結果的に通常の使用状態からみると面積比がほぼ四分の一になる。
この実施例４の収納状態は、実施例３と同様に裏面がむきだしになっていないため、一緒に携帯する他の物を汚すことがなくケースや袋を必要としない。
反面、かさばったり開きやすい袋部３ｈ、１３ｈが外側にでているため、一緒に携帯する他の小物が袋部３ｈ、１３ｈに入り込むことがあるが、逆にこの空間を利用して、小物を収納することも可能である。さらに袋部が型くずれしない。
【実施例５】
【００２４】
さらにまた、図８に別の収納スリッパの一部拡大図を示す。図８の収納スリッパは、図１（ａ）（ｂ）のスリッパに携える一対の留具として、リバーシブルなオープンファスナー７ｉ、１７ｉを使用したものである。リバーシブルなオープンファスナー７ｉ、１７ｉは外縁部の下部Bに設けられ、つま先部を含む上部Aには設けられていない。図８は係合離脱可能な一対のリバーシブルなオープンファスナー７ｉ、１７ｉが係止めされている部分の拡大図を示す。リバーシブルなオープンファスナー７ｉ、１７ｉは、ファスナーの表裏両面を係合離脱することができる。よってスリッパの外縁部の下部Bに携えられた場合、一つのスリッパで、実施例１と実施例３の両方の機能を有することができる。つまり、収納状態において裏面が外面になる場合と踏面が外面になる場合の両方を兼用することができる。
【実施例６】
【００２５】
さらにまた、別の収納スリッパを示す。実施例５と同様、一対の留具としてリバーシブルなオープンファスナーを使用する。図示しないが実施例５との相違点は、リバーシブルなオープンファスナーの装着位置である。本実施例のリバーシブルなオープンファスナーは実施例５の位置とは逆に、外縁部のつま先部を含む上部Aに設けられ、かかと部を含む下部Bには設けられていない。この場合は、一つのスリッパで実施例２と実施例４の両方の機能を備えることができる。つまり、収納状態で外面が、裏面になる場合と袋部になる場合の２種類を兼用できる。
この実施例６では前方からファスナーが見えるため、ファスナーを有効にいかしたデザイン処理の必要性がある。もしくは、ファスナーを隠すためファスナー装着部分の付近にマチを設てもよい。このマチを設けてファスナーを隠す方法はすべての実施例でも適用できる。
【産業上の利用可能性】
【００２６】
本発明の収納スリッパは旅行や行事等の携帯用スリッパとして適用できる。また袋部の表面にロゴを入れた景品や記念品として適用できる。
【図面の簡単な説明】
【００２７】
【図１】図１（ａ）は表側下部に留具を備えた収納スリッパの斜視図、図１（ｂ）は裏側下部に留具を備えた収納スリッパの斜視図である。
【図２】分離した収納スリッパの斜視図である。
【図３】図３（ａ）は表側上部に留具を備えた収納スリッパの斜視図、図３（ｂ）は裏側上部に留具を備えた収納スリッパの斜視図である。
【図４】（ａ）は裏側下部にオープンファスナーを備えた収納スリッパの斜視図、図４（ｂ）は収納スリッパの実施方法を示した説明図、図４（ｃ）収納スリッパの実施方法を示した説明図、図４（ｄ）は収納状態の収納スリッパの斜視図である（実施例１）。
【図５】図５（ａ）は裏側上部にオープンファスナーを備えた収納スリッパの斜視図、図５（ｂ）は収納スリッパの実施方法を示した説明図、図５（ｃ）は収納スリッパの実施方法を示した説明図、図５（ｄ）は収納状態の収納スリッパの斜視図である（実施例２）。
【図６】図６（ａ）は表側下部にオープンファスナーを備えた収納スリッパの斜視図、図６（ｂ）は収納スリッパの実施方法を示した説明図、図６は（ｃ）収納スリッパの実施方法を示した説明図、図６（ｄ）は収納状態の収納スリッパの斜視図である（実施例３）。
【図７】図７（ａ）は表側上部にオープンファスナーを備えた収納スリッパの斜視図、図７（ｂ）は収納スリッパの実施方法を示した説明図、図７（ｃ）は収納スリッパの実施方法を示した説明図、図７（ｄ）は収納状態の収納スリッパの斜視図である（実施例４）。
【図８】リバーシブルなオープンファスナーを備えた収納スリッパの一部拡大図を示す。（実施例５）
【図９】従来のスリッパの実施方法を示した説明図である。
【符号の説明】
【００２８】
１ａ…第１スリッパ
１ｂ…第１スリッパ
１ｅ…第１スリッパ
１ｆ…第１スリッパ
１ｇ…第１スリッパ
１ｈ…第１スリッパ
１ｊ…従来のスリッパ
３ｆ…第１スリッパの袋部
３ｇ…第１スリッパの袋部
３ｈ…第１スリッパの袋部
４ｇ…第１スリッパの踏面
４ｈ…第１スリッパの踏面
５ｅ…第１スリッパの裏面
５ｆ…第１スリッパの裏面
５ｇ…第１スリッパの裏面
５ｈ…第１スリッパの裏面
６ａ…第１スリッパの外周縁部
６ｅ…第１スリッパの外周縁部
６ｆ…第１スリッパの外周縁部
６ｊ…第１スリッパの外周縁部
７ａ…留具
７ｂ…留具
７ｃ…留具
７ｄ…留具
７ｅ…オープンファスナー
７ｆ…オープンファスナー
７ｇ…オープンファスナー
７ｈ…オープンファスナー
７ｉ…リバーシブルなオープンファスナー
７ｊ…従来のスリッパのファスナー
１１ａ…第２スリッパ
１１ｂ…第２スリッパ
１１ｅ…第２スリッパ
１１ｆ…第２スリッパ
１１ｇ…第２スリッパ
１１ｈ…第２スリッパ
１１ｊ…従来のスリッパ
１３ｆ…第２スリッパの袋部
１３ｇ…第２スリッパの袋部
１３ｈ…第２スリッパの袋部
１４ｇ…第２スリッパの踏面
１４ｈ…第２スリッパの踏面
１５ｅ…第２スリッパの裏面
１５ｆ…第２スリッパの裏面
１５ｇ…第２スリッパの裏面
１５ｈ…第２スリッパの裏面
１６ａ…第２スリッパの外周縁部
１６ｅ…第２スリッパの外周縁部
１６ｆ…第２スリッパの外周縁部
１６ｊ…第２スリッパの外周縁部
１７ａ…留具
１７ｂ…留具
１７ｃ…留具
１７ｄ…留具
１７ｅ…オープンファスナー
１７ｆ…オープンファスナー
１７ｇ…オープンファスナー
１７ｈ…オープンファスナー
１７ｉ…リバーシブルなオープンファスナー
１７ｊ…従来のスリッパのファスナー
Ａ…スリッパの上部
Ｂ…スリッパの下部
【図１】
2007229402.tif 000003
【図２】
2007229402.tif 000004
【図３】
2007229402.tif 000005
【図４】
2007229402.tif 000006
【図５】
2007229402.tif 000007
【図６】
2007229402.tif 000008
【図７】
2007229402.tif 000009
【図８】
2007229402.tif 000010
【図９】
2007229402.tif 000011
【手続補正書】
【提出日】平成18年7月24日(2006.7.24)
【手続補正１】
【補正対象書類名】特許請求の範囲
【補正対象項目名】全文
【補正方法】変更
【補正の内容】
【特許請求の範囲】
【請求項１】
第１スリッパ(1f)と、前記第１スリッパ(1f)と線対称型もしくはほぼ同型の第２スリッパ(11f)からなる一組の収納スリッパであって、
前記スリッパのつま先部からかかと部までのほぼ真ん中を境とし、つま先部を含む側を上部(A)、かかと部を含む側を下部(B)とした際、
前記第１スリッパ(1f)の外縁部(6f)の前記上部(A)にオープンファスナーの務歯列(7f)を備え、
前記第２スリッパ(11f)の外縁部(16f)の前記上部(A)に、前記オープンファスナーの務歯列(7f)に対応するオープンファスナーの務歯列(17f)を備え、
前記第１スリッパ(1f)に装着されたオープンファスナーの務歯列(7f)と、前記第２スリッパ(11f)に装着されたオープンファスナーの務歯列(17f)は係合離脱可能であり、
前記第１スリッパ(1f)のつま先部とかかと部が接するよう二つ折りにして甲側である表面が個々内側に重ねあわせられ、
さらに前記第２スリッパ(11f)のつま先部とかかと部が接するよう二つ折りにして甲側である表面が個々内側に重ねあわせられ、
前記二つに折りたたまれた第１スリッパと、前記二つに折りたたまれた第２スリッパとを、各裏面の下部(B)が接面するように重ねあわせた状態で、前記オープンファスナーを係合することにより、スリッパの裏面の上部(A)を外側にして一体に結合でき、
前記一対のオープンファスナーを離脱することにより前記第１スリッパ(1f)と第２スリッパ(11f)とに分離可能としたことを特徴とする収納スリッパ。
【請求項２】
第１スリッパ(1e)と、前記第１スリッパ(1e)と線対称型もしくはほぼ同型の第２スリッパ(11e)からなる一組の収納スリッパであって、
前記スリッパのつま先部からかかと部までのほぼ真ん中を境とし、つま先部を含む側を上部(A)、かかと部を含む側を下部(B)とした際、
前記第１スリッパ(1e)の外縁部(6e)の前記下部(B)にオープンファスナーの務歯列(7e)を備え、
前記第２スリッパ(11e)の外縁部(16e)の前記下部(B)に、前記オープンファスナーの務歯列(7e)に対応するオープンファスナーの務歯列(17e)を備え、
前記第１スリッパ(1e)に装着されたオープンファスナーの務歯列(7e)と、前記第２スリッパ(11e)に装着されたオープンファスナーの務歯列(17e)は係合離脱可能であり、
前記第１スリッパのつま先部とかかと部が接するよう二つ折りにして甲側である表面が個々内側に重ねあわせられ、
さらに前記第２スリッパのつま先部とかかと部が接するよう二つ折りにして甲側である表面が個々内側に重ねあわせられ、
前記二つに折りたたまれた第１スリッパと、前記二つに折りたたまれた第２スリッパとを、各裏面の上部(A)が接面するように重ねあわせた状態で、前記オープンファスナーを係合することにより、スリッパの裏面の下部(B)を外側にして一体に結合でき、
前記一対のオープンファスナーを離脱することにより前記第１スリッパ(1e)と第２スリッパ(11e)とに分離可能としたことを特徴とする収納スリッパ。
【請求項３】
第１スリッパ(1g)と、前記第１スリッパ(1g)と線対称型もしくはほぼ同型の第２スリッパ(11g)からなる一組の収納スリッパであって、
前記スリッパのつま先部からかかと部までのほぼ真ん中を境とし、つま先部を含む側を上部(A)、かかと部を含む側を下部(B)とした際、
前記第１スリッパ(1g)の外縁部の前記下部(B)にオープンファスナーの務歯列(7g)を備え、
前記第２スリッパ(11g)の外縁部の前記下部(B)に、前記オープンファスナーの務歯列(7g)に対応するオープンファスナーの務歯列(17g)を備え、
前記第１スリッパ(1g)に装着されたオープンファスナーの務歯列(7g)と、前記第２スリッパ(11g)に装着されたオープンファスナーの務歯列(17g)は係合離脱可能であり、
前記第１スリッパのつま先部とかかと部が接するよう二つ折りにして甲側である表面と反対面である裏面(5g,15g)が個々内側に重ねあわせられ、
さらに前記第２スリッパのつま先部とかかと部が接するよう二つ折りにして甲側である表面と反対面である裏面(5g,15g)が個々内側に重ねあわせられ、
前記二つに折りたたまれた第１スリッパと、前記二つに折りたたまれた第２スリッパとを、各表面の上部(A)が接面するように重ねあわせた状態で、前記オープンファスナーを係合することにより、スリッパの表面の下部(B)を外側にして一体に結合でき、
前記一対のオープンファスナーを離脱することにより前記第１スリッパ(1g)と第２スリッパ(11g)とに分離可能としたことを特徴とする収納スリッパ。
【請求項４】
請求項２に記載の収納スリッパであって、
前記オープンファスナーが、該オープンファスナーの表裏両面から係合離脱可能なリバーシブル機能を備えており、
かつ、前記第１スリッパのつま先部とかかと部が接するよう二つ折りにして甲側である表面と反対面である裏面が個々内側に重ねあわせられ、
さらに前記第２スリッパのつま先部とかかと部が接するよう二つ折りにして甲側である表面と反対面である裏面が個々内側に重ねあわせられ、
前記二つに折りたたまれた第１スリッパと、前記二つに折りたたまれた第２スリッパとを、各表面の上部(A)が接面するように重ねあわせた状態で、前記オープンファスナーを係合することにより、スリッパの表面の下部(B)を外側にして一体に結合でき、
前記一対のオープンファスナーを離脱することにより前記第１スリッパと第２スリッパとに分離可能としたことを特徴とする収納スリッパ。
【請求項５】
第１スリッパ(1a)と、前記第１スリッパ(1a)と線対称型もしくはほぼ同型の第２スリッパ(11a)からなる一組の収納スリッパであって、
前記スリッパのつま先部からかかと部までのほぼ真ん中を境とし、つま先部を含む側を上部(A)、かかと部を含む側を下部(B)とした際、
前記第１スリッパ(1a)は、前記第１スリッパ(1a)の外縁部の前記上部(A)又は下部(B)に、係合離脱可能な一対のリバーシブルなオープンファスナーの一方の務歯列(7i)を備え、
前記第２スリッパ(11a)は、前記第２スリッパ(11a)の外縁部の前記上部(A)又は下部(B)に、前記務歯列(7i)に対応する務歯列(17i)を備え、
前記第１スリッパ(1a)のつま先部とかかと部が接するようスリッパの第１の面を内側に二つ折りにし、さらに前記第２スリッパ(11a)のつま先部とかかと部が接するようスリッパの第１の面を内側に二つ折りにし、
前記個々に二つに折りたたまれた第１スリッパと第２スリッパとを、前記第１の面に対して裏面である第２の面の下部(B)又は上部(A)が接面するように重ねあわせた状態で、前記一対のリバーシブルなオープンファスナーを係合することにより、前記スリッパの第２の面の上部(A)又は下部(B)を外側にして一体に結合でき、
前記一対のリバーシブルなオープンファスナーを離脱することにより前記第１スリッパ(1a)と第２スリッパ(11a)とに分離可能であり、
さらに、前記第１スリッパ(1a)及び第２スリッパ(11a)を二つ折りにする際に、前記第２の面を内側にして二つ折りにし、
前記個々に二つに折りたたまれた第１スリッパ(1a)と第２スリッパ(11a)とを、前記第１の面の下部(B)又は上部(A)が接面するように重ね合わせた状態で、前記一対のリバーシブルなオープンファスナーを係合することにより、前記スリッパの第１の面の上部(A)又は下部(B)を外側にして一体に結合でき、
前記一対のリバーシブルなオープンファスナーを離脱することにより前記第１スリッパ(1a)と第２スリッパ(11a)とに分離可能であることを特徴とする収納スリッパ。
【手続補正２】
【補正対象書類名】明細書
【補正対象項目名】全文
【補正方法】変更
【補正の内容】
【発明の詳細な説明】
【技術分野】
【０００１】
本発明は、携帯しやすい収納スリッパに関するものである。
【背景技術】
【０００２】
スリッパを携帯する際、従来は袋などの入れ物を別個に持参し、そこに一組のスリッパを収納していた。しかしながら、入れ物を持参するのを忘れると一組のスリッパは所持しづらく、またスリッパを鞄等の中にそのまま入れると一組のスリッパはまとまることなく個々に散乱することもある。
【０００３】
また一組のスリッパを収納する際、片方のスリッパのかかと部を、もう片方のスリッパの甲部を覆うカバー部と踏面との間の空間内に挿入していた。しかしながら、この収納方法だと片方のスリッパの裏面の汚れが、もう片方のスリッパの踏面に付着してしまう。
また、この収納方法だと、各々のスリッパが簡単に分離しやすく、そうなるとスリッパの組み合わせがわからなくなる混乱も来す。
【０００４】
ところで、上記の問題を解決するため一組のスリッパを重ね合わせた状態をファスナーで固定し収納する方法が開発されている（特許文献１参照）。図９はこのスリッパの実施形態を示すための説明図であって、１ｊ、１１ｊはスリッパ、６ｊ、１６ｊは外周縁部、７ｊ、１７ｊはファスナーである。このスリッパは、一対のファスナーの一方７ｊを外周縁部６ｊに携えた片方のスリッパ１ｊと、ファスナーと着脱可能なファスナーの一方１７ｊを備えた他方のスリッパ１１ｊからなる。使用時はファスナーを分離し、不使用時は各スリッパのファスナーを係合することで各スリッパを組み合わせることができる。
【０００５】
しかしながら、スリッパを収納するのに必要な容積は各々のスリッパを重ねあわせた容積とほぼ変わらず、携帯するのに必要なスペースが大きいという問題があった。
【特許文献１】実開平４−６６９０１号公報
【発明の開示】
【発明が解決しようとする課題】
【０００６】
本発明の第１の目的は、コンパクトに収納でき携帯しやすい収納スリッパを提供することにある。第２の目的は、衛生的に収納できるスリッパを提供することにある。
【課題を解決するための手段】
【０００７】
上記の目的を達成するために、本発明の第１の収納スリッパは、第１スリッパ１ｆと、第１スリッパ１ｆと線対称型もしくはほぼ同型の第２スリッパ１１ｆからなる一組の収納スリッパであって、スリッパのつま先部からかかと部までのほぼ真ん中を境とし、つま先部を含む側を上部Ａ、かかと部を含む側を下部Ｂとした際、第１スリッパ１ｆの外縁部６ｆの上部Ａにオープンファスナーの務歯列７ｆを備え、第２スリッパ１１ｆの外縁部１６ｆの上部Ａに、オープンファスナーの務歯列７ｆに対応するオープンファスナーの務歯列１７ｆを備え、第１スリッパ１ｆに装着されたオープンファスナーの務歯列７ｆと、第２スリッパ１１ｆに装着されたオープンファスナーの務歯列１７ｆは係合離脱可能であり、第１スリッパ１ｆのつま先部とかかと部が接するよう二つ折りにして甲側である表面が個々内側に重ねあわせられ、さらに第２スリッパ１１ｆのつま先部とかかと部が接するよう二つ折りにして甲側である表面が個々内側に重ねあわせられ、二つに折りたたまれた第１スリッパと、二つに折りたたまれた第２スリッパとを、各裏面の下部Ｂが接面するように重ねあわせた状態で、オープンファスナーを係合することにより、スリッパの裏面の上部Ａを外側にして一体に結合でき、一対のオープンファスナーを離脱することにより第１スリッパ１ｆと第２スリッパ１１ｆとに分離可能としたことを特徴とする。
【０００８】
また、本発明の第２の収納スリッパは、第１スリッパ１ｅと、第１スリッパ１ｅと線対称型もしくはほぼ同型の第２スリッパ１１ｅからなる一組の収納スリッパであって、スリッパのつま先部からかかと部までのほぼ真ん中を境とし、つま先部を含む側を上部Ａ、かかと部を含む側を下部Ｂとした際、第１スリッパ１ｅの外縁部６ｅの下部Ｂにオープンファスナーの務歯列７ｅを備え、第２スリッパ１１ｅの外縁部１６ｅの下部Ｂに、オープンファスナーの務歯列７ｅに対応するオープンファスナーの務歯列１７ｅを備え、第１スリッパ１ｅに装着されたオープンファスナーの務歯列７ｅと、第２スリッパ１１ｅに装着されたオープンファスナーの務歯列１７ｅは係合離脱可能であり、第１スリッパのつま先部とかかと部が接するよう二つ折りにして甲側である表面が個々内側に重ねあわせられ、さらに第２スリッパのつま先部とかかと部が接するよう二つ折りにして甲側である表面が個々内側に重ねあわせられ、二つに折りたたまれた第１スリッパと、二つに折りたたまれた第２スリッパとを、各裏面の上部Ａが接面するように重ねあわせた状態で、オープンファスナーを係合することにより、スリッパの裏面の下部Ｂを外側にして一体に結合でき、一対のオープンファスナーを離脱することにより第１スリッパ１ｅと第２スリッパ１１ｅとに分離可能としたことを特徴とする。
【０００９】
さらにまた、本発明の第３の収納スリッパは、第１スリッパ１ｇと、第１スリッパ１ｇと線対称型もしくはほぼ同型の第２スリッパ１１ｇからなる一組の収納スリッパであって、スリッパのつま先部からかかと部までのほぼ真ん中を境とし、つま先部を含む側を上部Ａ、かかと部を含む側を下部Ｂとした際、第１スリッパ１ｇの外縁部の下部Ｂにオープンファスナーの務歯列７ｇを備え、第２スリッパ１１ｇの外縁部の下部Ｂに、オープンファスナーの務歯列７ｇに対応するオープンファスナーの務歯列１７ｇを備え、第１スリッパ１ｇに装着されたオープンファスナーの務歯列７ｇと、第２スリッパ１１ｇに装着されたオープンファスナーの務歯列１７ｇは係合離脱可能であり、第１スリッパのつま先部とかかと部が接するよう二つ折りにして甲側である表面と反対面である裏面５ｇ、１５ｇが個々内側に重ねあわせられ、さらに第２スリッパのつま先部とかかと部が接するよう二つ折りにして甲側である表面と反対面である裏面５ｇ、１５ｇが個々内側に重ねあわせられ、二つに折りたたまれた第１スリッパと、二つに折りたたまれた第２スリッパとを、各表面の上部Ａが接面するように重ねあわせた状態で、オープンファスナーを係合することにより、スリッパの表面の下部Ｂを外側にして一体に結合でき、一対のオープンファスナーを離脱することにより第１スリッパ１ｇと第２スリッパ１１ｇとに分離可能としたことを特徴とする。
【００１０】
さらにまた、本発明の第４の収納スリッパは、本発明の第２に記載の収納スリッパであって、オープンファスナーが、オープンファスナーの表裏両面から係合離脱可能なリバーシブル機能を備えており、かつ、第１スリッパのつま先部とかかと部が接するよう二つ折りにして甲側である表面と反対面である裏面が個々内側に重ねあわせられ、さらに第２スリッパのつま先部とかかと部が接するよう二つ折りにして甲側である表面と反対面である裏面が個々内側に重ねあわせられ、二つに折りたたまれた第１スリッパと、二つに折りたたまれた第２スリッパとを、各表面の上部Ａが接面するように重ねあわせた状態で、オープンファスナーを係合することにより、スリッパの表面の下部Ｂを外側にして一体に結合でき、一対のオープンファスナーを離脱することにより第１スリッパと第２スリッパとに分離可能としたことを特徴とする。
【００１１】
さらにまた、本発明の第５の収納スリッパは、第１スリッパ１ａと、第１スリッパ１ａと線対称型もしくはほぼ同型の第２スリッパ１１ａからなる一組の収納スリッパであって、スリッパのつま先部からかかと部までのほぼ真ん中を境とし、つま先部を含む側を上部Ａ、かかと部を含む側を下部Ｂとした際、第１スリッパ１ａは、第１スリッパ１ａの外縁部の上部Ａ又は下部Ｂに、係合離脱可能な一対のリバーシブルなオープンファスナーの一方の務歯列７ｉを備え、第２スリッパ１１ａは、第２スリッパ１１ａの外縁部の上部Ａ又は下部Ｂに、務歯列７ｉに対応する務歯列１７ｉを備え、第１スリッパ１ａのつま先部とかかと部が接するようスリッパの第１の面を内側に二つ折りにし、さらに第２スリッパ１１ａのつま先部とかかと部が接するようスリッパの第１の面を内側に二つ折りにし、個々に二つに折りたたまれた第１スリッパと第２スリッパとを、第１の面に対して裏面である第２の面の下部Ｂ又は上部Ａが接面するように重ねあわせた状態で、一対のリバーシブルなオープンファスナーを係合することにより、スリッパの第２の面の上部Ａ又は下部Ｂを外側にして一体に結合でき、一対のリバーシブルなオープンファスナーを離脱することにより第１スリッパ１ａと第２スリッパ１１ａとに分離可能であり、さらに、第１スリッパ１ａ及び第２スリッパ１１ａを二つ折りにする際に、第２の面を内側にして二つ折りにし、個々に二つに折りたたまれた第１スリッパ１ａと第２スリッパ１１ａとを、第１の面の下部Ｂ又は上部Ａが接面するように重ね合わせた状態で、一対のリバーシブルなオープンファスナーを係合することにより、スリッパの第１の面の上部Ａ又は下部Ｂを外側にして一体に結合でき、一対のリバーシブルなオープンファスナーを離脱することにより第１スリッパ１ａと第２スリッパ１１ａとに分離可能であることを特徴とする。
【発明の効果】
【００１２】
本発明によれば、個々二つに折り合わせたスリッパ同士を、一対の留具を介して係合しているため、コンパクトに収納され携帯しやすい効果を奏する。
【００１３】
また、一組のスリッパが略四つ折りにコンパクトに収納可能な状態に加え、オープンファスナーを介して一組のスリッパを係合しているため、着脱がスムーズで容易である。また、オープンファスナーを係合した際、第１スリッパと第２スリッパがほぼ隙間なく連結できる効果を奏する。とくにファスナーをスリッパの全周ではなく一部に設ける様式によって材料コストが下がり、また製造工程も簡易化されるので、つまりは製造コストが下がる。また、スリッパの軽量化を図れる上、スリッパを使用時、概してファスナーの務歯列が長いと隣接する生地を巻き込むことがあるが、その危険性が下がり、ファスナーの着脱も容易になる。また、ファスナーが邪魔になることも軽減される。
【００１４】
さらに、一組のスリッパがコンパクトに収納可能な状態に加え、スリッパの表面同士が内側に重ね合わせられるため、例えば、スリッパと同時に携帯するもの等によって、スリッパの表面が汚されない効果を奏する。また袋部が内側に収納されるためかさばらない。
【００１５】
さらにまた、一組のスリッパがコンパクトに収納可能な状態に加え、スリッパの裏面同士が内側に重ね合わせられるため、例えば、スリッパと同時に携帯する物等がスリッパの裏面により汚されない効果を奏する。
【発明を実施するための最良の形態】
【００１６】
（本体の構成）
図１（ａ）（ｂ）の両スリッパは、外縁部の下部Bに設けられた一対の留具を介して一部連結した状態である。図２は図１（ａ）の両スリッパの一対の留具を離脱し、一組のスリッパを分離させた状態である。図３（ａ）（ｂ）の両スリッパは、外縁部の上部Aに設けられた一対の留具を介して一部連結した状態である。図１及び図３の（ａ）（ｂ）の両スリッパの相違点は一対の留具の把持部の位置にある。（ａ）の一対の留具の把持部は踏面側の表側にあり、（ｂ）の一対の留具の把持部は裏面側にある。
【００１７】
以下、本発明の実施の形態を図面に基づいて説明する。ただし、以下に示す実施の形態は、本発明の技術思想を具体化するための収納スリッパを例示するものであって、本発明は収納スリッパを以下のものに特定しない。また、本明細書は特許請求の範囲に示される部材を、実施の形態の部材に特定するものでは決してない。特に実施の形態に記載されている構成部品の寸法、材質、形状、その相対的配置等は特に特定的な記載がない限りは、本発明の範囲をそれのみに限定する趣旨ではなく、単なる説明例にすぎない。なお、各図面が示す部材の大きさや位置関係等は、説明を明確にするため誇張していることがある。さらに以下の説明において、同一の名称、符号については同一もしくは同質の部材を示しており、詳細説明を適宜省略する。さらに、本発明を構成する各要素は、複数の要素を同一の部材で構成して一の部材で複数の要素を兼用する態様としてもよいし、逆に一の部材の機能を複数の部材で分担して実現することもできる。
【実施例１】
【００１８】
図４に、本発明の一実施例による収納スリッパを示す。本実施例の収納スリッパは、両足用として第１スリッパ１ｅと第２スリッパ１１ｅとの一組からなる。両スリッパの表面には、足を挿入する袋部と、足の裏面が接する踏面を備えており、表面の反対面には裏面が配置されている。
さらに収納スリッパは、スリッパ１ｅ、１１ｅのほぼ中心からかかと部にかけての下部側Bの外縁部に、一対からなる留具としてオープンファスナーの留具７ｅ、１７ｅを各々携えている。オープンファスナーは好適にはジッパーが利用できる。またジッパは金属製、プラスチック製等とする。
また、一対からなる留具として、オープンファスナーに代わり、あるいはこれに加えて、例えば、面ファスナーやホック、フック、ボタン、ひも、スナップ等を使用してもよい。さらに、リバーシブルなオープンファスナーを使用してもよい。ここで言うリバーシブルなオープンファスナーとは、オープンファスナーの表裏両面からオープンファスナーの一対の留具が脱着可能なオープンファスナーのことを言う。
【００１９】
（材質、デザイン）
収納スリッパを構成する部材は合成樹脂やゴムなど、ある程度形状復帰性を有する素材等を用いることができる。また、抗菌、防水、防臭、防かび等の用途を付加した素材や、デザイン性を考慮した皮、合皮等の素材、汗などを吸収し洗濯可能な布、パイル生地等の素材、使い捨てでき使用に耐えうる厚手の紙等の素材、足下の保温性を目的にした毛糸、ボア、フリース等の素材を使用してもよい。また、履き心地をや耐性をを増すよう多層構造の素材を用いたり、踏面と裏面の間に中敷きを設けることもできる。さらに、収納スリッパの表面部には布地を、裏面部には合皮素材を用いるなど、構成部分に応じて材質を変えることもできる。さらにまた、突起物や、い草、麻、竹等の自然素材等、別の部材を踏面の表面に装着してもよい。また健康増進、医療など目的に応じて踏面の形状を変化させたり、ダイエット効果を期待して、踵のない短いスリッパ等スリッパの踏面の長さを変化させてもよい。さらにまた、足の甲部を覆う袋部に関して、足のつま先部分が見えるよう前あきタイプや、足の指を形どったようにデザインを変化させたり、袋部の表面にロゴマークやマスコット等の印刷加工処理を施すこともできる。また素材によっては足首を覆うブーツ形状も可能である。
【００２０】
（着脱方法）
一組からなる収納スリッパの各々のスリッパにおいて、図４（ａ）の収納スリッパは、図１（ｂ）の一対の留具としてオープンファスナー７ｅ、１７ｅを使用したものである。このオープンファスナーを介して、両スリッパは一部連結されている。オープンファスナーは、外縁部の下部Bに設けられ、つま先部を含む上部Aには設けられていない。また、オープンファスナーの留具の把持部が裏面側にある。図４（ａ）の状態から、図４（ｂ）に示すよう甲側である表面を内側にし、個々矢印に示すよう二つに折曲げる。つま先部とかかと部が接することになる。さらに、二つ折りにされた各々のスリッパ１ｅ、１１ｅを、図４ｃに示すようにスリッパの裏面５ｅ、１５ｅの上部A同士が互いに接するよう重ね合わせる。この状態でオープンファスナーを係合すると、図４ｄに示すようになる。スリッパが裏面５ｅ、１５ｅの下部Bを外側にして収納された状態を保持できる。結果的に通常の使用状態からみると面積比がほぼ四分の一になる。
スリッパ使用時には、収納された状態からオープンファスナーを離脱すると図２に示すように第１スリッパと第２スリッパに分離される。
【実施例２】
【００２１】
また別の収納スリッパを図５に示す。図５（ａ）の収納スリッパは、図３（ｂ）の一対の留具としてオープンファスナー７ｆ、１７ｆを使用したものである。このオープンファスナーを介して、両スリッパは一部連結されている。オープンファスナーは、実施例１の位置とは逆に、外縁部のつま先部を含む上部Aに設けられ、かかと部を含む下部Bには設けられていない。また、オープンファスナーの留具の把持部は実施例１と同様、裏面側にある。
図５ｂは実施例１と同様に、甲側である表面を内側にし、個々矢印に示すよう二つに折曲げられた状態である。つま先部とかかと部が接することになる。
図５ｂの状態から、実施例１とは逆側に両スリッパを重ねる。つまり、二つ折りにされた各々のスリッパ１ｆ、１１ｆは、図５ｃに示すようにスリッパの裏面５ｆ、１５ｆの下部B同士が互いに接するよう重ね合わせられる。この状態でオープンファスナーを係合すると、図５ｄに示す状態になる。スリッパが裏面５ｆ、１５ｆの上部Aを外側にして収納される。実施例１と同様、結果的に通常の使用状態からみると面積比がほぼ四分の一になる。
実施例１および実施例２のスリッパの収納状態は、開いてかさばりやすい袋部が内側に収納されるので携帯に便利である。反面、裏面がむきだしになっているため、裏面の汚れが、一緒に携帯する他の物に付着することがあり、このためケースや収納袋を別個用意して、これにスリッパを収納することが好ましい。
【実施例３】
【００２２】
さらにまた別の収納スリッパを図６に示す。図６（ａ）の収納スリッパは、図１（ａ）の一対の留具としてオープンファスナー７ｇ、１７ｇを使用したものである。このオープンファスナーを介して、両スリッパは一部連結されている。オープンファスナー７ｇ、１７ｇは、外縁部の下部Bに設けられ、つま先部を含む上部Aには設けられていない。つまり、実施例１とオープンファスナーの装着位置が同じである。実施例１との相違点は、オープンファスナーの留具の把持部が踏面側の表側にある点である。
図６（ａ）の状態から、スリッパを矢印の方向に個々二つ折りにする際、実施例１とは逆の向きに折り曲げる。つまり、図６（ｂ）に示すよう裏面５ｇ、１５ｇを内側にし、個々矢印に示すよう二つに折曲げる。つま先部とかかと部が接することになる。さらに、二つ折りにされた各々のスリッパ１ｇ、１１ｇを、図６（ｃ）に示すように、スリッパの袋部同士３ｇ、１３ｇが互いに接するよう重ね合わせる。この状態でオープンファスナーを係合すると、図６ｄに示すようになる。スリッパが踏面４ｇ、１４ｇを外側にして収納された状態を保持できる。結果的に通常の使用状態からみると面積比がほぼ四分の一になる。
この実施例３の収納状態は、裏面がむきだしになっていないため、一緒に携帯する他の物を汚すことがなくケースや袋を必要としない。また袋部３ｇ、１３ｇも内側に折り込まれるため、収納状態においてもかさばることがない。
【実施例４】
【００２３】
さらにまた別の収納スリッパを図７に示す。図７（ａ）の収納スリッパは、図３（ａ）の一対の留具としてオープンファスナー７ｈ、１７ｈを使用したものである。このオープンファスナーを介して、両スリッパは一部連結されている。オープンファスナー７ｈ、１７ｈは、外縁部のつま先部を含む上部Aに設けられ、かかと部を含む下部Bには設けられていない。つまり、実施例２とオープンファスナーの装着位置が同じである。実施例２との相違点は、オープンファスナーの留具の把持部が踏面側の表側にある点である。また、図７（ａ）の状態から、スリッパを矢印の方向に個々二つ折りにする際、実施例２とは逆の向きに折り曲げる。つまり、図７（ｂ）に示すよう裏面５ｈ、１５ｈを内側にし、個々矢印に示すよう二つに折曲げる。つま先部とかかと部が接することになる。さらに、二つ折りにされた各々のスリッパ１ｈ、１１ｈを、図７（ｃ）に示すように、踏面同士４ｈ、１４ｈが互いに接するよう重ね合わせる。この状態でオープンファスナーを係合すると、図７ｄに示すようになる。スリッパが袋部３ｈ、１３ｈを外側にして略四つ折りに収納された状態を保持できる。結果的に通常の使用状態からみると面積比がほぼ四分の一になる。
この実施例４の収納状態は、実施例３と同様に裏面がむきだしになっていないため、一緒に携帯する他の物を汚すことがなくケースや袋を必要としない。
反面、かさばったり開きやすい袋部３ｈ、１３ｈが外側にでているため、一緒に携帯する他の小物が袋部３ｈ、１３ｈに入り込むことがあるが、逆にこの空間を利用して、小物を収納することも可能である。さらに袋部が型くずれしない。
【実施例５】
【００２４】
さらにまた、図８に別の収納スリッパの一部拡大図を示す。図８の収納スリッパは、図１（ａ）（ｂ）のスリッパに携える一対の留具として、リバーシブルなオープンファスナー７ｉ、１７ｉを使用したものである。リバーシブルなオープンファスナー７ｉ、１７ｉは外縁部の下部Bに設けられ、つま先部を含む上部Aには設けられていない。図８は係合離脱可能な一対のリバーシブルなオープンファスナー７ｉ、１７ｉが係止めされている部分の拡大図を示す。リバーシブルなオープンファスナー７ｉ、１７ｉは、ファスナーの表裏両面を係合離脱することができる。よってスリッパの外縁部の下部Bに携えられた場合、一つのスリッパで、実施例１と実施例３の両方の機能を有することができる。つまり、収納状態において裏面が外面になる場合と踏面が外面になる場合の両方を兼用することができる。
【実施例６】
【００２５】
さらにまた、別の収納スリッパを示す。実施例５と同様、一対の留具としてリバーシブルなオープンファスナーを使用する。図示しないが実施例５との相違点は、リバーシブルなオープンファスナーの装着位置である。本実施例のリバーシブルなオープンファスナーは実施例５の位置とは逆に、外縁部のつま先部を含む上部Aに設けられ、かかと部を含む下部Bには設けられていない。この場合は、一つのスリッパで実施例２と実施例４の両方の機能を備えることができる。つまり、収納状態で外面が、裏面になる場合と袋部になる場合の２種類を兼用できる。
この実施例６では前方からファスナーが見えるため、ファスナーを有効にいかしたデザイン処理の必要性がある。もしくは、ファスナーを隠すためファスナー装着部分の付近にマチを設けてもよい。このマチを設けてファスナーを隠す方法はすべての実施例でも適用できる。
【産業上の利用可能性】
【００２６】
本発明の収納スリッパは旅行や行事等の携帯用スリッパとして適用できる。また袋部の表面にロゴを入れた景品や記念品として適用できる。
【図面の簡単な説明】
【００２７】
【図１】図１（ａ）は表側下部に留具を備えた収納スリッパの斜視図、図１（ｂ）は裏側下部に留具を備えた収納スリッパの斜視図である。
【図２】分離した収納スリッパの斜視図である。
【図３】図３（ａ）は表側上部に留具を備えた収納スリッパの斜視図、図３（ｂ）は裏側上部に留具を備えた収納スリッパの斜視図である。
【図４】（ａ）は裏側下部にオープンファスナーを備えた収納スリッパの斜視図、図４（ｂ）は収納スリッパの実施方法を示した説明図、図４（ｃ）収納スリッパの実施方法を示した説明図、図４（ｄ）は収納状態の収納スリッパの斜視図である（実施例１）。
【図５】図５（ａ）は裏側上部にオープンファスナーを備えた収納スリッパの斜視図、図５（ｂ）は収納スリッパの実施方法を示した説明図、図５（ｃ）は収納スリッパの実施方法を示した説明図、図５（ｄ）は収納状態の収納スリッパの斜視図である（実施例２）。
【図６】図６（ａ）は表側下部にオープンファスナーを備えた収納スリッパの斜視図、図６（ｂ）は収納スリッパの実施方法を示した説明図、図６は（ｃ）収納スリッパの実施方法を示した説明図、図６（ｄ）は収納状態の収納スリッパの斜視図である（実施例３）。
【図７】図７（ａ）は表側上部にオープンファスナーを備えた収納スリッパの斜視図、図７（ｂ）は収納スリッパの実施方法を示した説明図、図７（ｃ）は収納スリッパの実施方法を示した説明図、図７（ｄ）は収納状態の収納スリッパの斜視図である（実施例４）。
【図８】リバーシブルなオープンファスナーを備えた収納スリッパの一部拡大図を示す。（実施例５）
【図９】従来のスリッパの実施方法を示した説明図である。
【符号の説明】
【００２８】
１ａ…第１スリッパ
１ｂ…第１スリッパ
１ｅ…第１スリッパ
１ｆ…第１スリッパ
１ｇ…第１スリッパ
１ｈ…第１スリッパ
１ｊ…従来のスリッパ
３ｆ…第１スリッパの袋部
３ｇ…第１スリッパの袋部
３ｈ…第１スリッパの袋部
４ｇ…第１スリッパの踏面
４ｈ…第１スリッパの踏面
５ｅ…第１スリッパの裏面
５ｆ…第１スリッパの裏面
５ｇ…第１スリッパの裏面
５ｈ…第１スリッパの裏面
６ａ…第１スリッパの外周縁部
６ｅ…第１スリッパの外周縁部
６ｆ…第１スリッパの外周縁部
６ｊ…第１スリッパの外周縁部
７ａ…留具
７ｂ…留具
７ｃ…留具
７ｄ…留具
７ｅ…オープンファスナー
７ｆ…オープンファスナー
７ｇ…オープンファスナー
７ｈ…オープンファスナー
７ｉ…リバーシブルなオープンファスナー
７ｊ…従来のスリッパのファスナー
１１ａ…第２スリッパ
１１ｂ…第２スリッパ
１１ｅ…第２スリッパ
１１ｆ…第２スリッパ
１１ｇ…第２スリッパ
１１ｈ…第２スリッパ
１１ｊ…従来のスリッパ
１３ｆ…第２スリッパの袋部
１３ｇ…第２スリッパの袋部
１３ｈ…第２スリッパの袋部
１４ｇ…第２スリッパの踏面
１４ｈ…第２スリッパの踏面
１５ｅ…第２スリッパの裏面
１５ｆ…第２スリッパの裏面
１５ｇ…第２スリッパの裏面
１５ｈ…第２スリッパの裏面
１６ａ…第２スリッパの外周縁部
１６ｅ…第２スリッパの外周縁部
１６ｆ…第２スリッパの外周縁部
１６ｊ…第２スリッパの外周縁部
１７ａ…留具
１７ｂ…留具
１７ｃ…留具
１７ｄ…留具
１７ｅ…オープンファスナー
１７ｆ…オープンファスナー
１７ｇ…オープンファスナー
１７ｈ…オープンファスナー
１７ｉ…リバーシブルなオープンファスナー
１７ｊ…従来のスリッパのファスナー
Ａ…スリッパの上部
Ｂ…スリッパの下部